(57)【要約】【課題】  容易に装着および取り外しができ、装着時の不快感を軽減することができるイヤリングを提供する。【解決手段】  イヤリング１０は、一面が耳たぶ表側に当接する耳たぶ受け部２と、耳たぶ受け部２との間に耳たぶを挟持するための耳たぶ挟持部３とを備えている。耳たぶ挟持部３は、基軸３１を中心として回動可能に形成されたアーム部３２を有している。アーム部３２は、付勢部材により耳たぶを挟持する方向に付勢されている。アーム部３２の先端には貫通穴３４が形成されている。一端に耳たぶと当接する耳当て３３１を有し、他端に指でつまむためのツマミ３３２を有する棒状部材３３が貫通穴３４にスライド可能に挿通されている。【選択図】  図１
0003170450.tif 000002
【実用新案登録請求の範囲】
【請求項１】
一面が耳たぶ表側に当接する耳たぶ受け部と、耳たぶ裏側に配置され、前記耳たぶ受け部との間に耳たぶを挟持するための耳たぶ挟持部とを備えたイヤリングにおいて、
前記耳たぶ挟持部は、基軸を中心として回動可能に形成され、付勢部材により耳たぶを挟持する方向に付勢されたアーム部を有すると共に、一端に耳たぶと当接する耳当てを有し、他端に指でつまむためのツマミを有する棒状部材が前記アーム部の先端に形成された貫通穴にスライド可能に挿通されたことを特徴とするイヤリング。
【請求項２】
前記耳たぶ挟持部は、前記棒状部材の前記耳当てと前記貫通穴との間にスプリングが取り付けられたことを特徴とする請求項１に記載のイヤリング。
【請求項３】
前記耳たぶ受け部は、他面に耳を装飾するための装飾部材が取り付けられたことを特徴とする請求項１乃至請求項２のいずれか１項に記載のイヤリング。
【考案の詳細な説明】
【技術分野】
【０００１】
本考案はイヤリングに係り、特に、耳たぶの両側面から挟持して装着するイヤリングに関する。
【背景技術】
【０００２】
従来、耳たぶに装着するイヤリングには、様々な種類のものが使用されている。例えば、Ｕ字形の基材の一端（めねじ部）に取り付けられたおねじを螺進させて、基材の他端とおねじとの間に耳たぶを両側面から挟持して装着するねじ方式のイヤリングがある。
【考案の開示】
【考案が解決しようとする課題】
【０００３】
しかしながら、このねじ方式のイヤリングでは、基材の他端とおねじとの間隔が耳たぶの厚さと比較して狭く形成されており、特に、耳たぶの厚い使用者にとっては、イヤリングを装着しにくく、装着および取り外しに時間を要するという問題がある。
【０００４】
また、ねじ方式のイヤリングでは、基材のめねじ部におねじをねじ込んで耳たぶの両側面から挟持するため、イヤリングを装着中の使用者の動きにより、ねじが緩み方向へ移動し、イヤリングが耳たぶから外れて紛失してしまうおそれがある。
【０００５】
イヤリングが耳たぶから外れないように、装着時におねじを強くねじ込んで耳たぶに取り付けると、使用者はこのねじの締め付けによる痛み等の不快感が伴い非常に煩わしく感じるという不具合が生じる。
【０００６】
本考案は上記事案に鑑み、容易に装着および取り外しができ、装着時の不快感を軽減することができるイヤリングを提供することを課題とする。
【課題を解決するための手段】
【０００７】
上記課題を解決するために、請求項１の考案にかかるイヤリングは、一面が耳たぶ表側に当接する耳たぶ受け部と、耳たぶ裏側に配置され、前記耳たぶ受け部との間に耳たぶを挟持するための耳たぶ挟持部とを備えたイヤリングにおいて、前記耳たぶ挟持部は、基軸を中心として回動可能に形成され、付勢部材により耳たぶを挟持する方向に付勢されたアーム部を有すると共に、一端に耳たぶと当接する耳当てを有し、他端に指でつまむためのツマミを有する棒状部材が前記アーム部の先端に形成された貫通穴にスライド可能に挿通されたことを特徴とする。
【０００８】
従って、アーム部が基軸を中心として回動可能に形成されたことで、装着時にアーム部を回動させて耳たぶ受け部と耳たぶ挟持部との間の間隔を十分に確保することができる。また、アーム部が耳たぶを挟持する方向に付勢されたことで、耳たぶ受け部と耳たぶ挟持部との間に確実に耳たぶを挟持することができる。更に、棒状部材をスライドさせることで、使用者の耳たぶの厚さに合わせて、耳たぶ受け部および耳たぶ挟持部の間の間隔を調整することができる。
【０００９】
請求項２の考案に係るイヤリングは、前記耳たぶ挟持部は、前記棒状部材の前記耳当てと前記貫通穴との間にスプリングが取り付けられたことを特徴とする。
【００１０】
従って、棒状部材にスプリングが取り付けられたことで、耳たぶを耳たぶ受け部および耳たぶ挟持部の間に挟持したまま固定することができるため、イヤリングを耳たぶに確実に装着することができると共に、装着時の耳たぶの締め付けによる不快感を軽減させることができる。
【００１１】
請求項３の考案に係るイヤリングは、前記耳たぶ受け部は、他面に耳を装飾するための装飾部材が取り付けられたことを特徴とする。
【００１２】
従って、様々な種類の装飾部材を取り付けることができるので、イヤリングのデザイン性を向上させることができる。
【考案の効果】
【００１３】
請求項１の考案にあっては、アーム部が基軸を中心として回動可能に形成されたことで、装着時にアーム部を回動させて耳たぶ受け部と耳たぶ挟持部との間の間隔を十分に確保することができる。このため、耳たぶの厚い使用者でも、容易に装着および取り外しをすることができる。
【００１４】
また、請求項１の考案にあっては、アーム部が付勢部材により耳たぶを挟持する方向に付勢されたことで、耳たぶ受け部と耳たぶ挟持部との間に確実に耳たぶを挟持することができるので、使用中にイヤリングが耳たぶから外れにくくなる。更に、従来のねじ方式のイヤリングのようなねじによる締め付けがないので、装着時の耳たぶの不快感も軽減させることができる。
【００１５】
更に、請求項１の考案にあっては、棒状部材をスライドさせることで、使用者の耳たぶの厚さに合わせて、耳たぶ受け部および耳たぶ挟持部の間の間隔を調整することができるので、耳たぶの両側面を耳たぶ受け部および耳たぶ挟持部で挟持しやすくなる。
【００１６】
請求項２の考案にあっては、棒状部材にスプリングが取り付けられたことで、耳たぶを耳たぶ受け部および耳たぶ挟持部の間に挟持したまま固定することができるため、耳たぶに確実に装着することができると共に、装着時の耳たぶの締め付けによる不快感を軽減させることができる。
【００１７】
請求項３の考案にあっては、様々な種類の装飾部材を取り付けることができるので、イヤリングのデザイン性を向上させることができる。
【図面の簡単な説明】
【００１８】
【図１】本考案を適用した実施形態のイヤリングを模式的に示す斜視図である。
【図２】実施形態のイヤリングにおいて、アーム部を回動させた状態を模式的に示す斜視図である。
【考案を実施するための最良の形態】
【００１９】
以下、図面を参照して、本考案を適用したイヤリングの実施の形態について説明する。
【００２０】
（構成）
図１に示すように、本実施形態のイヤリング１０は、使用者が耳たぶに装着したときに、一面が耳たぶの表側に当接する耳たぶ受け部２と、耳たぶの裏側に配置され、耳たぶ受け部２との間に耳たぶを挟持するための耳たぶ挟持部３と、を備えている。
【００２１】
耳たぶ受け部２は、円盤状に形成され、他面には耳たぶを装飾するための装飾部材４が取り付けられている。装飾部材４は、どのような形状、材質で構成されていてもよいが、本例では、装飾部材４は、球状や円盤状の複数の金属製の粒が連なって形成されている。
【００２２】
耳たぶ挟持部３は、基軸３１を中心として回動可能に形成されたアーム部３２を有している。アーム部３２は、付勢部材としてのリン青銅製の可撓性を有する板バネが内蔵されており、耳たぶを挟持する方向に付勢されている。耳たぶ受け部２および耳たぶ挟持部３の間に耳たぶの両側面が挟持されることで、イヤリング１０が耳たぶに装着される。
【００２３】
すなわち、図２に示すように、イヤリング１０を耳たぶに装着するときには、基軸３１を中心としてアーム部３２を、耳たぶを挟持する方向と反対の方向に回動させると、耳たぶ受け部２および耳たぶ挟持部３の間の間隔が十分に確保される。耳たぶ受け部２および耳たぶ挟持部３の間に耳たぶを配置したまま、アーム部３２を、耳たぶを挟持する方向へ回動するように一定の力を加えると、板バネの弾性により自動的に力を加えた方向へ回動し、耳たぶが挟持される。
【００２４】
アーム部３２の先端には、円形の貫通穴３４が形成されている。貫通穴３４には、一端に耳たぶと当接する耳当て３３１を有し、他端に指でつまむためのツマミ３３２を有する棒状部材３３が挿通されている。棒状部材３３は、貫通穴３２にスライド可能に挿通されている。棒状部材３３を貫通穴３２内でスライドさせることで、使用者の耳たぶの厚さに合わせて、耳たぶ受け部２の一面および耳当て３３１の間隔を調整することができる。イヤリング１０が耳たぶに装着されると耳たぶ受け部２の一面および耳当て３３１に、耳たぶが当接する。
【００２５】
棒状部材３３には、耳当て３３１および貫通穴３４との間にスプリング３５が取り付けられている。スプリング３５により、耳たぶ受け部２の一面および耳当て３３１の間に挟持された耳たぶが固定される。
【００２６】
（作用等）
次に、本実施形態のイヤリング１０の作用等について、説明する。
【００２７】
本実施形態のイヤリング１０では、アーム部３２が基軸３１を中心として回動可能に形成されている。このため、装着する時に、アーム部３２を、耳たぶを挟持方向と反対の方向に回動させて耳たぶ受け部２と耳たぶ挟持部３との間の間隔を十分に確保することができる。このため、耳たぶの厚い使用者でも、容易に装着および取り外しをすることができる。
【００２８】
また、本実施形態のイヤリング１０では、アーム部３２が付勢部材（板バネ）により耳たぶを挟持する方向に付勢されている。このため、耳たぶ受け部２と耳たぶ挟持部３との間に確実に耳たぶを挟持することができるので、使用中にイヤリングが耳たぶから外れにくくなる。更に、従来のねじ方式のイヤリングのようなねじによる締め付けがないので、装着時の耳たぶの不快感も軽減させることができる。
【００２９】
更に、本実施形態のイヤリング１０では、棒状部材３３が貫通穴３４にスライド可能に挿通されている。このため、棒状部材３３をスライドさせることで、使用者の耳たぶの厚さに合わせて、耳たぶ受け部２および耳たぶ挟持部３の間の間隔を調整することができるので、耳たぶの厚さにかかわらず、耳たぶの両側面を耳たぶ受け部２および耳たぶ挟持部３で挟持しやすくすることができる。
【００３０】
また更に、本実施形態のイヤリング１０では、棒状部材３３にスプリング３５が取り付けられている。このため、耳たぶを耳たぶ受け部２および耳たぶ挟持部３の間に挟持したまま固定することができるため、耳たぶに確実に装着することができる。また、従来のねじ方式のイヤリングのようなねじによる締め付けがないので、従来のものより、装着時の耳たぶの締め付けによる不快感を軽減させることができる。
【００３１】
更にまた、本実施形態のイヤリング１０では、耳たぶ受け部２の他面に装飾部材４が取り付けられている。このため、イヤリングのデザイン性を向上させることができる。
【００３２】
なお、本実施形態では、棒状部材３３にスプリング３５が取り付けられた例を示したが、本考案はこれに限定されるものではなく、スプリング３５が取り付けられていなくてもよい。スプリング３５を取り付けると、耳たぶを耳たぶ受け部２および耳たぶ挟持部３の間に挟持したまま固定することができるため、耳たぶに確実に装着することができる。
【００３３】
また、本実施形態では、アーム部３２の付勢部材としてリン青銅製の板バネを用いる例を示したが、本考案はこれに限定されるものではなく、アーム部３２を、耳たぶを挟持する方向に付勢することができれば他の材質のものを用いてもよい。
【００３４】
更に、本実施形態では、装飾部材４が、球状や円盤状の複数の金属製の粒が連なって形成されている例を示したが、本考案はこれに限定されるものではなく、どのような材質、形状に形成されていてもよい。
【産業上の利用可能性】
【００３５】
本考案は、容易に装着および取り外しができ、装着時の不快感を軽減することができるイヤリングを提供するため、イヤリングの製造、販売に寄与するので、産業上の利用可能性を有する。
【符号の説明】
【００３６】
２    耳たぶ受け部
３    耳たぶ挟持部
４    装飾部材
１０  イヤリング
３１  基軸
３２  アーム部
３３  棒状部材
３４  貫通穴
３５  スプリング
３３１  耳当て
３３２  ツマミ
【図１】
0003170450.tif 000003
【図２】
0003170450.tif 000004